(57)【要約】【課題】この発明はマットレスに装着して用いるときに、外嵌を損なうことがないようにしたマットレス用カバーを提供することにある。【解決手段】マットレスに着脱可能に装着されるマットレス用カバーであって、  マットレス１の外装地３と同じ外観に形成されこのマットレスの上面を被覆する本体部１２と、マットレスの外装地と同じ外観に形成され上記本体部の周縁部に上端が上部テープエッジ１３ａによって連結された側辺部１３と、側辺部の下端に一端が下部テープエッジ１４ａによって連結され他端側がマットレスの下面側に差込まれる差込み部１４とによって構成されている。【選択図】      図５
2005080908.tif 000002
【特許請求の範囲】
【請求項１】
マットレスに着脱可能に装着されるマットレス用カバーであって、
上記マットレスの外装地と同じ外観に形成されこのマットレスの上面を被覆する本体部と、
上記マットレスの外装地と同じ外観に形成され上記本体部の周縁部に上端が上部テープエッジによって連結された側辺部と、
この側辺部の下端に一端が下部テープエッジによって連結され他端側が上記マットレスの下面側に差込まれる差込み部と
によって構成されていることを特徴とするマットレス用カバー。
【請求項２】
上記差込み部には、上記マットレスに装着されたマットレス用カバーがマットレスから外れるのを阻止する保持手段が設けられていることを特徴とする請求項１記載のマットレス用カバー。
【請求項３】
上記本体部は矩形状で、上記側辺部は本体部の周縁に沿って矩形枠状に設けられているとともに、上記差込み部は矩形状の側辺部の各辺にそれぞれ設けられていて、
上記保持手段は、マットレスの下面側に差込まれた各差込み部を連結する連結部材であることを特徴とする請求項２記載のマットレス用カバー。
【請求項４】
上記本体部は円形状で、上記側辺部は本体部の外周に沿って円形状に設けられているとともに、上記差込み部は上記側辺部に沿って円形状に設けられていて、
上記保持手段は、上記差込み部の他端部に設けられ円形状の差込み部を縮径方向に弾性的に付勢する弾性部材であることを特徴とする請求項２記載のマットレス用カバー。
【発明の詳細な説明】
【技術分野】
【０００１】
この発明はマットレスを被覆するためのマットレス用カバーに関する。
【背景技術】
【０００２】
マットレスは、周知のようにスプリングユニットを外装地で被覆して構成されている。外装地には比較的上質の布地が用いられているとともに、２枚の布地の間にウレタンフォームなどの薄い弾性シートを挟み、これら三者を一体的にキルティングして形成されている。そのため、通常、マットレスは外装地が使用されている布地やキルティングの模様などによって良好な外観を有している。
【０００３】
一方、このようなマットレスをベッドに利用する場合、いわゆるベッドメーキングが行なわれる。ベッドメーキングはマットレスの上面にベッドパッドを敷くとともに、このマットレスの上面及び外周面をシーツで覆うことで行なわれる。
【０００４】
マットレスをベッドメーキングして利用すれば、外装地が汚れることがないから、シーツを交換することで、マットレスを常に清潔な状態で使用することができる。つまり、マットレスの外装地は洗濯することができないから、汚さないようにするためにシーツで覆うようにしている。
【発明の開示】
【発明が解決しようとする課題】
【０００５】
しかしながら、マットレスをシーツで覆ってしまうと、マットレスの外装地の良好な外観が全く見えないということがあるばかりか、ベッドの外観を向上させるようにしても、ベッドの外観に比べてシーツで覆われたマットレスの外観が著しく見劣りするということがあり、ベッドと不釣合いになる。
【０００６】
この発明は、使用時におけるマットレスの外観が損なわれることがないようにしたマットレス用カバーを提供することにある。
【課題を解決するための手段】
【０００７】
この発明は、マットレスに着脱可能に装着されるマットレス用カバーであって、
上記マットレスの外装地と同じ外観に形成されこのマットレスの上面を被覆する本体部と、
上記マットレスの外装地と同じ外観に形成され上記本体部の周縁部に上端が上部テープエッジによって連結された側辺部と、
この側辺部の下端に一端が下部テープエッジによって連結され他端側が上記マットレスの下面側に差込まれる差込み部と
によって構成されていることを特徴とするマットレス用カバーにある。
【０００８】
上記差込み部には、上記マットレスに装着されたマットレス用カバーがマットレスから外れるのを阻止する保持手段が設けられていることが好ましい。
【０００９】
上記本体部は矩形状で、上記側辺部は本体部の周縁に沿って矩形枠状に設けられているとともに、上記差込み部は矩形状の側辺部の各辺にそれぞれ設けられていて、
上記保持手段は、マットレスの下面側に差込まれた各差込み部を連結する連結部材であることが好ましい。
【００１０】
上記本体部は円形状で、上記側辺部は本体部の外周に沿って円形状に設けられているとともに、上記差込み部は上記側辺部に沿って円形状に設けられていて、
上記保持手段は、上記差込み部の他端部に設けられ円形状の差込み部を縮径方向に弾性的に付勢する弾性部材であることが好ましい。
【発明の効果】
【００１１】
この発明によれば、カバーによってマットレスを覆っても、カバーはマットレスと同じ外観を呈するから、カバーによってマットレスの外観を損なうことがないばかりか、カバーはマットレスから取り外せるから、洗濯などを容易に行うことができる。
【発明を実施するための最良の形態】
【００１２】
以下、この発明の実施の形態を図面を参照して説明する。
【００１３】
図１乃至図５はこの発明の第１の実施の形態を示し、図１（ａ）〜（ｃ）はリクライニング式のベッドに用いられるマットレス１を示す。このマットレス１はベッドのリクライニングに応じて屈曲するよう、第１の部分２ａと第２の部分２ｂとに分割されている。これら第１、第２の部分２ａ，２ｂは、詳細は図示しないが、スリングユニットを外装地３で被覆して構成されている。第１、第２の部分２ａ，２ｂの上下面の周縁部にはそれぞれテープエッジ４が設けられている。
【００１４】
なお、図示しないが、マットレス１の第１の部分２ａと第２の部分２ｂとの外装地３は、２枚の布地間にウレタンフォームなどによって形成された薄い弾性シートを介在させ、これら三者をキルティングによって一体化して形成されている。
【００１５】
上記第１の部分２ａと第２の部分２ｂとの上面の一側部には、図１（ａ）に示すように幅方向ほぼ全長に沿ってそれぞれ第１のベルベットファスナ５が設けられており、これら第１、第２の部分２ａ，２ｂの第１のベルベットファスナ５は連結テープ６で連結されている。それによって、マットレス１は、ベッドのリクライニングに応じて図１（ｂ）に示す状態から図１（ｃ）に示すように、第１の部分２ａを第２の部分２ｂに対して屈曲させることができるようになっている。
【００１６】
上記構成のマットレス１はマットレス用カバー１１によって被覆可能となっている。マットレス用カバー１１は、図２乃至図５に示すように、上記マットレス１と同じ矩形の平面形状をなした本体部１２を有する。この本体部１２の周縁には側辺部１３の上端が上部テープエッジ１３ａによって連結されている。側辺部１３の下端の、４つの辺にはそれぞれ帯状の差込み部１４の一端が下部テープエッジ１４ａによって連結されている。
【００１７】
上記マットレス用カバー１１の上記本体部１２と側辺部１３との連結部分には、カバー１１内に突出するループ状のフック１５が上記上部テープエッジ１３ａによって一体的に縫着されている。このフック１５は本体部１２の四隅部あるいは周縁部に周方向に所定間隔で設けられている。
【００１８】
マットレス１には上記フック１５と対応する位置に、フック１５が係合するボタン（図示せず）が設けられている。それによって、マットレス１に掛けられたマットレス用カバー１１がずれ動いたり、マットレス１から外れるのが防止される。
【００１９】
なお、フックとボタンに代わり、両者にベルベットファスナを設けてカバー１１をマットレス１に止めるようにしてもよく、或いはカバー１１とマットレス１とを係合させる手段はなにも設けなくてもよい。
【００２０】
上記本体部１２、側辺部１３及び差込み部１４は、図５に示すように、ともに上記マットレス１の外装地３と同じ材質の２枚の布地１７の間に薄いシート状の弾性材１８を入れ、これら三者をキルティング１９（図２（ａ），（ｂ）に示す）によって一体的に縫合して形成されている。つまり、マットレス１の外装地３とほぼ同じ外観を呈するように形成されている。
【００２１】
図３（ａ），（ｂ）に示すように、各差込み部１４の両端部にはそれぞれ矩形状の第２のベルベットファスナ２１が縫着されている。差込み部１４の隣り合う端部において、上記第２のベルベットファスナ２１は逆の面に設けられている。つまり、差込み部１４の隣り合う端部において、上記第２のベルベットファスナ２１は、差込み部１４をマットレス１の下面に折り曲げたときに上になる面と、下になる面にそれぞれ設けられている。
【００２２】
それによって、４つの差込み部１４をマットレス１の下面に折り曲げると、隣り合う差込み部１４の端部の上面と下面が重なり合うから、それらの端部に設けられた第２のベルベットファスナ２１が互いに係着するようになっている。
【００２３】
さらに、隣り合う一対の差込み部１４の端部には、これら差込み部１４をマットレス１の下面に折り曲げたときに係着させることができるファスナ２２ａ，２２ｂが設けられている。
【００２４】
各差込み部１４の長手方向中央部で、折り曲げたときの下になる面には、幅方向に沿って第３のベルベットファスナ２３が設けられている。対向する一対の差込み部１４には２つの第３のベルベットファスナ２３が設けられ、残りの一対の差込み部１４には１つの第３のベルベットファスナ２３が設けられている。マットレス１の下面側に折り曲げられた４つの差込み部１４は、図４に示すように両端を第３のベルベットファスナ２３に係着させた連結手段としての連結テープ２４によって連結される。
【００２５】
上記構成のマットレス用カバー１１によれば、本体部１２、側辺部１３及び差込み部１４がマットレス１の外装地３と同じように２枚の布地１７の間に弾性材１８を介在させ、これら三者をキルティング１９によって一体的に縫合して形成されている。つまり、マットレス１の外装地３と同じ外観に形成されている。
【００２６】
そのため、マットレス用カバー１１をマットレス１に装着し、差込み部１４をマットレス１の下面側に差込み、対向する各一対の差込み部１４を連結テープ２４で連結すれば、マットレス用カバー１１がマットレス１とほぼ同じ外観を呈することになるから、マットレス用カバー１１によってマットレス１の外観が損なわれることがない。
【００２７】
マットレス用カバー１１は、マットレス１に対して着脱可能である。そのため、長期の使用によって汚れたら、取外して洗濯することができるから、清潔な状態で使用することができる。つまり、マットレス用カバー１１を用いることで、マットレス１とほぼ同じ外観を呈するから、マットレス１の外観を損なうことがないばかりか、取外すことができるため、洗濯したり、たとえば異なるデザインのものに交換するなどのことも可能となる。
【００２８】
図６乃至図８はこの発明の第２の実施の形態を示す。この実施の形態はマットレス３１が円形状に形成されていて、このマットレス３１は図６（ｂ）、（ｃ）に示すように半円形状の第１の部分３２ａと第２の部分３２ｂとに分割されている。第１の部分３２ａと第２の部分３２ｂとはそれぞれ外装地３３によって被覆されている。
【００２９】
各部分３２ａ，３２ｂの上面を被覆した上鏡地３３ａは分断されずに１枚ものとなっている。それによって、図６（ｃ）に示すように第１の部分３２ａに対して第２の部分３２ｂを折り重ねることができるようになっている。上記外装地３３の上下面の周縁部にはそれぞれテープエッジ３４が形成されている。
【００３０】
なお、外装地３３は、図示しないが、２枚の布地の間にウレタンフォームなどの弾性シートを介在させ、これら三者をキルティングによって一体的に縫合して形成されている。
【００３１】
上記マットレス３１に装着されるマットレス用カバー４１は、図７と図８に示すように、マットレス３１と対応する円形状の本体部４２を有する。この本体部４２の周縁には側辺部４３が上端を上部テープエッジに４４によって縫合されている。
【００３２】
上記側辺部４３の下端には差込み部４５の一端が下部テープエッジ４６によって縫合されている。差込み部４５の他端にはその端部を折り曲げて袋部４７に形成され、この袋部に４７は保持手段を構成する、弾性部材としてのゴム紐４７が挿通されている。このゴム紐４７は円形状（リング状）の差込み部４５を縮径方向に弾性的に付勢している。
【００３３】
上記本体部４１、側辺部４３及び差込み部４５は、図８に示すように、マットレス３１の外装地３３と同様、２枚の布地５１の間に弾性シート５２を介在させている。本体部４１と側辺部４３は、布地５１と弾性シート５２の三者をキルティング５３によって一体的に縫合されている。なお、差込み部４５はキルティングされていないが、キルティングしても差し支えない。
【００３４】
このように、マットレス３１が円形の場合であって、このマットレス３１に装着されるマットレス用カバー４１を、マットレス３１の外装地３３と同じ外観を呈するように形成することで、第１の実施の形態と同様、マットレスカバー４１によってマットレス３１外観が損なわれることがないばかりか、長期の使用によって汚れたら、取外して洗濯することができるから、清潔な状態で使用することができる。
【００３５】
この発明は上記各実施の形態に限定されるものでなく、発明の要旨を逸脱しない範囲で種々変形可能である。たとえば、マットレス用カバーをマットレスから外れるのを阻止する保持手段としては、差込む部をマットレスの下面にホックやボタンなどで連結するようにしてもよい。
【００３６】
また、マットレス用カバーをマットレスの外装地と同じ外観に形成するということは、全く同一であるということに限られず、例えば色調が異なったり、キルティングの模様が異なったりしてもよく、要は通常のマットレスの外装地として用いられるような布地で、外装地と同じように側辺部の上下端にテープエッジが形成されていればよい。
【図面の簡単な説明】
【００３７】
【図１】（ａ）はこの発明の第１の実施の形態のマットレスを示す平面図、（ｂ）は側面図、（ｃ）は第１の部分を屈曲させた側面図。
【図２】（ａ）はマットレス用カバーを上面側から見た平面図、（ｂ）は側面図。
【図３】（ａ）はマットレス用カバーを下面側から見た平面図、（ｂ）は同じく下面側から見た斜視図。
【図４】マットレス用カバーがマットレスに装着される状態を下面側から見た平面図。
【図５】マットレスカバーの一部分の拡大断面図。
【図６】（ａ）はこの発明の第２の実施の形態を示すマットレスの平面図、（ｂ）は側面図、（ｃ）は第２の部分が折り畳まれた状態を示す側面図。
【図７】（ａ）はマットレス用カバーの平面図、（ｂ）は側面図、（ｃ）は下面側から見た平面図。
【図８】マットレス用カバーの一部分を拡大した断面図。
【符号の説明】
【００３８】
１，３１…マットレス、３，３３…外装地、１２，４２…本体部、１３ａ，４４…上部テープエッジ、１４ａ，４６…下部テープエッジ、１３，４３…側辺部、１４，４５…差込み部、２４…連結テープ（保持手段）、４８…ゴム紐（保持手段）。
【図１】
2005080908.tif 000003
【図２】
2005080908.tif 000004
【図３】
2005080908.tif 000005
【図４】
2005080908.tif 000006
【図５】
2005080908.tif 000007
【図６】
2005080908.tif 000008
【図７】
2005080908.tif 000009
【図８】
2005080908.tif 000010